(57)【要約】【課題】より正確な蓄熱量を計測可能な蓄熱槽の蓄熱量の計測方法を提供する。【解決手段】冷水蓄熱槽の蓄熱時の蓄熱量の計測方法において、蓄熱槽１を区画１ａ〜１ｆに分け、各区画１ａ〜１ｆに温度センサＴ１〜Ｔ５を設け、想定される熱負荷からの熱媒体の還り温度を基準温度とし、熱負荷に送り込めることができる熱媒体の温度を送水限界温度とし、各区画１ａ〜１ｆのうち、送水限界温度以下の温度を検出した温度センサＴ１〜Ｔ３を有する区画１ａ〜１ｃにおいては、各区画の容積を加算して蓄熱体積Ａとし、前記加算した以外の区画１ｄ〜１ｆについては単位時間当たりの熱源機からの流出量を時間経過ごとに積算して蓄熱体積Ｂとし、前記蓄熱体積Ａと蓄熱体積Ｂとを加算した値に、上記基準温度から前記熱源機で作る送水設定温度を差し引いた値を乗じて蓄熱量として算出する。【選択図】      図１
2014174027.tif 000002
【特許請求の範囲】
【請求項１】
冷水蓄熱槽の蓄熱量の計測方法において、
熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、
蓄熱槽を上下３区画以上にし、各区画に温度センサを設け、今後想定される熱負荷からの熱媒体の還り温度を基準温度とし、また、熱負荷に送り込めることができる熱媒体の温度を送水限界温度とし、
前記各区画のうち、送水限界温度以下の温度を検出した温度センサを有する区画においては、該当する区画の容積を加算して蓄熱体積Ａとし、
前記加算した以外の区画については単位時間当たりの熱源機からの流量、又は熱負荷への流量を時間経過ごとに積算して蓄熱体積Ｂとし、
前記蓄熱体積Ａと蓄熱体積Ｂとを加算又は減算した値に、前記基準温度から前記熱源機で作る送水設定温度を差し引いた温度差を乗じた値を蓄熱量として算出することを特徴とする、蓄熱槽の蓄熱量の計測方法。
【請求項２】
請求項１の蓄熱体積Ａと蓄熱体積Ｂを加算又は減算した値を全蓄熱槽の有効容積で除した値を蓄熱率として算出することを特徴とする、蓄熱槽の蓄熱率の計測方法。
【請求項３】
温水蓄熱槽の蓄熱量の計測方法において、
熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、
蓄熱槽を上下３区画以上にし、各区画に温度センサを設け、今後想定される熱負荷からの熱媒体の還り温度を基準温度とし、また、熱負荷に送り込めることができる熱媒体の温度を送水限界温度とし、
前記各区画のうち、送水限界温度以上の温度を検出した温度センサを有する区画においては、該当する区画の容積を加算して蓄熱体積Ａとし、
前記加算した以外の区画については単位時間当たりの熱源機からの流量、又は熱負荷への流量を時間経過ごとに積算して蓄熱体積Ｂとし、
前記蓄熱体積Ａと蓄熱体積Ｂとを加算又は減算した値に、前記熱源機で作る送水設定温度から前記基準温度を差し引いた温度差を乗じた値を蓄熱量として算出することを特徴とする、蓄熱槽の蓄熱量の計測方法。
【請求項４】
請求項３の蓄熱体積Ａと蓄熱体積Ｂを加算又は減算した値を全蓄熱槽の有効容量で除した値を蓄熱率として算出することを特徴とする、蓄熱槽の蓄熱率の計測方法。
【請求項５】
冷水蓄熱槽の蓄熱時の蓄熱量の計測方法において、
熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、
蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、
前記各区画のうち、送水限界温度以下の温度を検出した温度センサを高温側に有する各区画においては、該当する区画の容積を加算して蓄熱体積Ａとし、
送水限界温度を超える温度センサを高温側に有する区画のうち、前記送水限界温度以下の温度を検出した温度センサを高温側に有する区画に隣接した区画については、単位時間当たりの熱源機からの流出量を時間経過ごとに積算して蓄熱体積Ｂとし、
前記蓄熱体積Ａと蓄熱体積Ｂを加算した値に、上記基準温度から前記熱源機で作る送水設定温度を差し引いた値を乗じて蓄熱量とすることを特徴とする、蓄熱槽の蓄熱量の計測方法。
【請求項６】
冷水蓄熱槽の放熱時の蓄熱量の計測方法において、
熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、
蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、
前記各区画のうち、送水限界温度以下の温度を検出した温度センサを高温側に有する各区画及びこれに隣接する送水限界温度を超えた温度センサを高温側に有する区画においては、該当する区画の容積を加算して蓄熱体積Ａとし、
前記隣接する送水限界温度を超えた温度センサを高温側に有する区画において、単位時間当たりの熱負荷への流出量を時間経過ごとに積算して蓄熱体積Ｂとし、
前記蓄熱体積Ａから蓄熱体積Ｂを減算した値に、上記基準温度から前記熱源機で作る送水設定温度を差し引いた値を乗じて蓄熱量とすることを特徴とする、蓄熱槽の蓄熱量の計測方法。
【請求項７】
温水蓄熱槽の蓄熱時の蓄熱量の計測方法において、
熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、
蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、
前記各区画のうち、送水限界温度以上の温度を検出した温度センサを低温側に有する各区画においては、該当する区画の容積を加算して蓄熱体積Ａとし、
送水限界温度未満の温度を検出した温度センサを低温側に有する区画のうち、前記送水限界温度以上の温度を検出した温度センサを低温側に有する区画に隣接した区画については、単位時間当たりの熱源機からの流入量を時間経過ごとに積算して蓄熱体積Ｂとし、
前記蓄熱体積Ａと蓄熱体積Ｂを加算した値に、前記熱源機で作る送水設定温度から前記基準温度を差し引いた値を乗じて蓄熱量とすることを特徴とする、蓄熱槽の蓄熱量の計測方法。
【請求項８】
温水槽の放熱時の蓄熱量の計測方法において、
熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、
蓄熱槽を上下３区画以上にし、各区画の区画線上に温度センサを設け、熱負荷からの熱媒体の還り温度を基準温度とし、また、熱負荷に送り込めることができる熱媒体の温度を送水限界温度とし、
前記各区画のうち、送水限界温度以上の温度を検出した温度センサを低温側に有する各区画及びこれに隣接する区画においては、該当する区画の容積を加算して蓄熱体積Ａとし、
送水限界温度未満の温度を検出した温度センサを低温側に有する区画のうち、前記送水限界温度以上の温度を検出した温度センサを低温側に有する区画に隣接した区画については、単位時間当たりの熱負荷への流出量を時間経過ごとに積算して蓄熱体積Ｂとし、
前記蓄熱体積Ａから蓄熱体積Ｂを減算した値に、前記熱源機で作る送水設定温度から前記基準温度を差し引いた値を乗じて蓄熱量とすることを特徴とする、蓄熱槽の蓄熱量の計測方法。
【発明の詳細な説明】
【技術分野】
【０００１】
この発明は、蓄熱システムを用いた冷暖房装置等の蓄熱槽の蓄熱率及び蓄熱量の計測方法に関するものである。
【背景技術】
【０００２】
近年、インバータターボ冷凍機といった部分負荷性能の優れた冷凍機が汎用化されたことにより、水蓄熱システムの運転制御方法を変えることで高効率な水蓄熱システムを提供できるようになった。
【０００３】
従来の水蓄熱システムで用いた冷凍機は、定格負荷率での運転が最も効率が良いため、冷凍機と補機は定格で運転させ、短時間での蓄熱をしていた。そのため、蓄熱量の計算は蓄熱がなくなった残蓄０の状態とすべて蓄熱した満蓄の状態の２点で制御を行っていた（蓄熱から出る送水温度によって制御をする場合もある）。
【０００４】
この様な残蓄０及び満蓄の２点での制御によるため、蓄熱量の計算は左程な正確さを要求されていなかった。そのため、複数のセンサを蓄熱槽に設置した場合は、あるセンサが一定温度以上又は以下になった時にそのセンサが受け持つ蓄熱量を加算又は減算する計算方法を採っていた。この様な計算方法では、蓄熱量の変化が階段状となり、正確な蓄熱量を計測できない。
【０００５】
これと異なる他の計測方法としては、蓄熱槽への出入の流量を測定する方法もあるが、流量計の不正確さにより正確な流量、これに基づく蓄熱量を計測できず、満蓄又は残蓄０の状態で蓄熱量をリセットする計測方法が採られている。
【０００６】
特許文献１のものも、１つの温度センサを高温側と低温側との中間位置に設けるか、又は２つの温度センサを高温側と低温側に設けているが、これらの温度センサが所定の基準温度を横切った時点を基準点として蓄熱槽が空の状態か満杯状態かを判断しており、上記の計測方法と同じである。
【先行技術文献】
【特許文献】
【０００７】
【特許文献１】特開平５−２８８６１５号公報
【発明の開示】
【発明が解決しようとする課題】
【０００８】
センサ温度を利用して蓄熱量を計算すると、蓄熱した時の蓄熱した熱量と放熱した熱量とが異なるため、蓄熱されている位置を把握することがとができない。また、熱源機が製造する送水設定温度と設計時に想定する還り温度との差を利用して蓄熱量を求めた場合、還り温度が異なると蓄熱量を正確に把握することが出来ない課題があった。
【０００９】
また、高効率冷凍機などは、外気温の状態によって高効率な運転ができる負荷率が変化する。目標とする蓄熱量と現在の蓄熱量との差を把握し、その時の単位時間当たりの必要蓄熱量を算出することで、必要かつ高効率な運転負荷率での運転が実現できる。これらのことから、最近では冷暖房等に使用する蓄熱槽の蓄熱量の計測は正確さが要求されている。
【００１０】
そこでこの発明は、この従来技術を踏まえて、複数の温度センサで正確な設定温度の位置関係を把握し、これによる体積で蓄熱量を算出し、温度センサ間は流量で蓄熱量を補完することにより、より正確な蓄熱槽の蓄熱率及び蓄熱量を計測可能な方法を提供するものである。
【課題を解決するための手段】
【００１１】
請求項１の発明は、冷水蓄熱槽の蓄熱量の計測方法において、熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、蓄熱槽を上下３区画以上にし、各区画に温度センサを設け、今後想定される熱負荷からの熱媒体の還り温度を基準温度とし、また、熱負荷に送り込めることができる熱媒体の温度を送水限界温度とし、前記各区画のうち、送水限界温度以下の温度を検出した温度センサを有する区画においては、該当する区画の容積を加算して蓄熱体積Ａとし、前記加算した以外の区画については単位時間当たりの熱源機からの流量、又は熱負荷への流量を時間経過ごとに積算して蓄熱体積Ｂとし、前記蓄熱体積Ａと蓄熱体積Ｂとを加算又は減算した値に、前記基準温度から前記熱源機で作る送水設定温度を差し引いた温度差を乗じた値を蓄熱量として算出する、蓄熱槽の蓄熱量の計測方法とした。
【００１２】
また、請求項２の発明は、請求項１の蓄熱体積Ａと蓄熱体積Ｂを加算又は減算した値を全蓄熱槽の有効容積で除した値を蓄熱率として算出する、蓄熱槽の蓄熱率の計測方法とした。ここで有効容積とは、蓄熱槽容量から水が流れない領域の容積を引いた体積である。
【００１３】
請求項３の発明は、温水蓄熱槽の蓄熱量の計測方法において、熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、蓄熱槽を上下３区画以上にし、各区画に温度センサを設け、今後想定される熱負荷からの熱媒体の還り温度を基準温度とし、また、熱負荷に送り込めることができる熱媒体の温度を送水限界温度とし、前記各区画のうち、送水限界温度以上の温度を検出した温度センサを有する区画においては、該当する区画の容積を加算して蓄熱体積Ａとし、前記加算した以外の区画については単位時間当たりの熱源機からの流量、又は熱負荷への流量を時間経過ごとに積算して蓄熱体積Ｂとし、前記蓄熱体積Ａと蓄熱体積Ｂとを加算又は減算した値に、前記熱源機で作る送水設定温度から前記基準温度を差し引いた温度差を乗じた値を蓄熱量として算出する、蓄熱槽の蓄熱量の計測方法とした。
【００１４】
また、請求項４の発明は、請求項３の蓄熱体積Ａと蓄熱体積Ｂを加算又は減算した値を全蓄熱槽の有効容積で除した値を蓄熱率として算出する、蓄熱槽の蓄熱率の計測方法とした。
【００１５】
また、請求項５の発明は、冷水蓄熱槽の蓄熱時の蓄熱量の計測方法において、熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、前記各区画のうち、送水限界温度以下の温度を検出した温度センサを高温側に有する各区画においては、該当する区画の容積を加算して蓄熱体積Ａとし、送水限界温度を超える温度センサを高温側に有する区画のうち、前記送水限界温度以下の温度を検出した温度センサの区画に隣接した区画については、単位時間当たりの熱源機からの流入量を時間経過ごとに積算して蓄熱体積Ｂとし、前記蓄熱体積Ａと蓄熱体積Ｂを加算した値に、上記基準温度から前記熱源機で作る送水設定温度を差し引いた値を乗じて、蓄熱槽の蓄熱量の計測方法とした。
【００１６】
請求項６の発明は、冷水蓄熱槽の放熱時の蓄熱量の計測方法において、熱源機への熱媒体は蓄熱槽の高温槽から導出し、熱源機からの熱媒体は蓄熱槽の低温槽に流入し、熱負荷への熱媒体の供給は蓄熱槽の低温槽から供給し、熱負荷から還ってきた熱媒体は蓄熱槽の高温槽に注入し、蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、前記各区画のうち、送水限界温度以下の温度を検出した温度センサを高温側に有する各区画及びこれに隣接する送水限界温度を超えた区画においては、該当する区画の容積を加算して蓄熱体積Ａとし、前記隣接する送水限界温度を超えた区画においては、単位時間当たりの熱負荷への流出量を時間経過ごとに積算して蓄熱体積Ｂとし、前記蓄熱量Ａから蓄熱量Ｂを減算した値に、上記基準温度から前記熱源機で作る送水設定温度を差し引いた値を乗じて、蓄熱槽の蓄熱量の計測方法とした。
【００１７】
また、請求項７の発明は、温水蓄熱槽の蓄熱時の蓄熱量の計測方法において、熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、蓄熱槽を上下３区画以上にし、各区画の区画線上に温度センサを設け、今後想定される熱負荷からの熱媒体の還り温度を基準温度とし、また、熱負荷に送り込めることができる熱媒体の温度を送水限界温度とし、前記各区画のうち、送水限界温度以上の温度を検出した温度センサを低温側に有する各区画においては、該当する区画の容積を加算して蓄熱体積Ａとし、送水限界温度未満の温度を検出した温度センサを低温側に有する区画のうち、前記送水限界温度以上の温度を検出した温度センサを低温側に有する区画に隣接した区画については、単位時間当たりの熱源機からの流入量を時間経過ごとに積算して蓄熱体積Ｂとし、前記蓄熱体積Ａと蓄熱体積Ｂを加算した値に、前記熱源機で作る送水設定温度から前記基準温度を差し引いた値を乗じて、蓄熱槽の蓄熱量の計測方法とした。
【００１８】
また、請求項８の発明は、温水槽の放熱時の蓄熱量の計測方法において、熱源機への熱媒体は蓄熱槽の低温槽から導出し、熱源機からの熱媒体は蓄熱槽の高温槽に流入し、熱負荷への熱媒体の供給は蓄熱槽の高温槽から供給し、熱負荷から還ってきた熱媒体は蓄熱槽の低温槽に注入し、蓄熱槽を上下３区画以上にし、各区画の区画線上に温度センサを設け、熱負荷からの熱媒体の還り温度を基準温度とし、また、熱負荷に送り込めることができる熱媒体の温度を送水限界温度とし、前記各区画のうち、送水限界温度以上の温度を検出した温度センサを低温側に有する各区画及びこれに隣接する区画においては、該当する区画の容積を加算して蓄熱体積Ａとし、送水限界温度未満の温度を検出した温度センサを低温側に有する区画のうち、前記送水限界温度以上の温度を検出した温度センサを低温側に有する区画に隣接した区画については、単位時間当たりの熱負荷への流出量を時間経過ごとに積算して蓄熱体積Ｂとし、前記蓄熱体積Ａから蓄熱体積Ｂを減算した値に、前記熱源機で作る送水設定温度から前記基準温度を差し引いた値を乗じて、蓄熱槽の蓄熱量の計測方法とした。
【発明の効果】
【００１９】
請求項１〜８の各発明によれば、従来の複数のセンサを蓄熱槽に設置し、あるセンサが一定温度以上又は以下になった時にそのセンサが受け持つ蓄熱量を加算又は減算する計算方法では、蓄熱量の変化が階段状となり、正確な蓄熱量を計測できなかったが、センサ間については、この間の区画に流入する又は流出する熱媒体の流量を算出してこれを積算するため、精度の高い蓄熱量の計測ができる。
【００２０】
その際、蓄熱槽を複数の区画に分けるが、各区画の容積はそれぞれ予め算出可能である。また、特に、請求項５〜８の発明においては、冷房に使用する場合は、各区画の高温側の温度センサを用い、また、暖房に使用する場合は、各区画の低温側の温度センサを用いれば良く、冷暖房で同じ位置にある温度センサを使い分けることができる。
【００２１】
また、このように蓄熱槽が満蓄か残蓄０のみでの判断でなく、蓄熱槽の現在蓄熱量を正確に把握することにより、蓄熱量の制御が可能となり、部分負荷特性の良い冷凍機や暖房機の部分負荷運転に蓄熱槽を使用できる。
【図面の簡単な説明】
【００２２】
【図１】この発明の実施の形態例１の熱媒体が冷水の場合の蓄熱時の蓄熱槽の概略構成断面図である。
【図２】この発明の実施の形態例１の熱媒体が冷水の場合の放熱時の蓄熱槽の概略構成断面図である。
【図３】この発明の実施の形態例２の熱媒体が温水の場合の蓄熱時の蓄熱槽の概略構成断面図である。
【図４】この発明の実施の形態例２の熱媒体が温水の場合の放熱時の蓄熱槽の概略構成断面図である。
【発明を実施するための形態】
【００２３】
（実施の形態例１）
以下、この発明の実施の形態例１を図に基づいて説明する。この実施の形態例１は蓄熱槽１が冷水の場合である。まず、冷水の場合のこの発明の方法に使用する蓄熱槽１の概略構成について説明する。図１に示すように、蓄熱槽１は、冷凍機２への冷水は蓄熱槽の上部（高温槽）から導出し、熱源機である冷凍機２からの冷水は蓄熱槽１の下部（低温槽）から流入する。また、熱負荷である空調機３への冷水の供給は蓄熱槽１の下部（低温槽）から供給し、空調機３から還ってきた冷水は蓄熱槽１の上部（高温槽）に注入する。
【００２４】
また、蓄熱槽１を上下多数段に区画し、各区画１ａ、１ｂ、１ｃ、１ｄ、１ｅ、１ｆを下から順に形成する。これらの各区画１ａ、１ｂ、１ｃ、１ｄ、１ｅ、１ｆは予めその容積を測定しておく。これらの各区画１ａ〜１ｅの各区画線上に夫々温度センサＴ１、Ｔ２、Ｔ３、Ｔ４、Ｔ５を設ける。
【００２５】
温度センサＴ１は区画１ａ及び１ｂの水温を測定し、温度センサＴ２は区画１ｂ及び１ｃの水温を測定し、温度センサＴ３は区画１ｃ及び１ｄの水温を測定し、温度センサＴ４は区画１ｄ及び１ｅの水温を測定し、温度センサＴ５は区画１ｅ及び区画ｆの水温を測定する。また、前記冷凍機２から蓄熱槽１に冷水を導入する配管４に流量計５及び温度センサＴ６を設け、前記空調機３から蓄熱槽１に還る冷水の配管６に流量計７及び温度センサＴ７を設ける。
【００２６】
前記空調機３からの今後想定される冷水の還り温度を温度センサＴ７で測定し、これを基に基準温度とする。この基準温度は、負荷が大きいときの流量を加味した温度帯でなければならず、例えば、過去のデータを基にその時期の負荷からの還り温度値を求め、これを現実にその時期の還り温度を測定して補正するなどして決定する。また、前記空調機３に送り込めることができる冷水の温度を送水限界温度とし、また、冷凍機２により作り出す送水温度を送水設定温度とする。
【００２７】
熱媒体が冷水の場合であって、蓄熱時の蓄熱率及び蓄熱量の計測は以下により行う。前記各区画１ａ〜１ｆのうち、送水限界温度以下の温度を検出した温度センサ、即ち、図１では温度センサＴ３、Ｔ２、Ｔ１を上部（高温側）に有する区画１ｃ、１ｂ、１ａにおいては、前記基準温度から送水設定温度を差し引いた温度差に各区画１ｃ、１ｂ、１ａの容積を夫々乗じた値を求め、該当する区画１ｃ、１ｂ、１ａの当該値を加算して蓄熱体積Ａとする。
【００２８】
前記送水限界温度を超える区画のうち最下位の区画、図１では区画１ｄについては、流量計５で測定した単位時間当たりの流量を時間経過ごとに積算して蓄熱体積Ｂとし、前記蓄熱体積Ａと蓄熱体積Ｂとを加算し、当該加算した値の全蓄熱槽の有効容積に対する割合を蓄熱率として算出するものである。また、前記蓄熱体積Ａと蓄熱体積Ｂとを加算した値に、上記基準温度から前記温度センサＴ６で測定した冷凍機２からの冷水の温度（送水設定温度）を差し引いた値を乗じた値を蓄熱量と計測する。
【００２９】
次に、熱媒体が冷水の場合であって、放熱時の蓄熱率及び蓄熱量の計測は以下により行う。
【００３０】
図２は、図１と同じ構成であるが、蓄熱率及び蓄熱量の計測方法が、蓄熱時とで異なる。前記空調機３からの冷水の還り温度を温度センサＴ７で測定し、これを基に今後想定される還り温度を基準温度とし、また、前記空調機３に送り込めることができる冷水の温度を送水限界温度とし、また、冷凍機２により作り出す送水温度を送水設定温度とする点は蓄熱時と同じである。
【００３１】
前記各区画１ａ〜１ｆのうち、送水限界温度以下の温度を検出した温度センサＴ３、Ｔ２、Ｔ１を上部（高温側）に有する各区画１ｃ、１ｂ、１ａ及びこれらの上部の区画１ｄにおいては、前記基準温度から送水設定温度を差し引いた温度差に各区画１ｄ、１ｃ、１ｂ、１ａの容積をそれぞれ乗じた値を求め、該当する区画１ｄ、１ｃ、１ｂ、１ａの当該値を加算して蓄熱体積Ａとする。
【００３２】
また、送水限界温度以下の温度を検出した温度センサを高温側に有する最上位の区画に隣接する区画、即ち図２では区画１ｄにおいては、単位時間当たりの流出量（流量計７で測定）を時間経過ごとに積算して蓄熱体積Ｂとし、前記蓄熱量Ａから蓄熱量Ｂを減算した値の全蓄熱槽の有効容積に対する割合を蓄熱率として算出するものである。また、蓄熱量Ａから蓄熱量Ｂを減算した値に、前記基準温度から送水設定温度（冷凍機２からの送水温度）を差し引いた値を乗じて蓄熱量とする。
【００３３】
（実施の形態例２）
以下、この発明の実施の形態例２を図に基づいて説明する。この実施の形態例２は蓄熱槽１０が温水の場合である。まず、温水の場合のこの発明の方法に使用する蓄熱槽１０の概略構成について説明する。図３に示すように、蓄熱槽１０は、熱源機１１への温水は蓄熱槽１０の下部（低温槽）から導出し、熱源機１１からの温水は蓄熱槽１０の上部（高温槽）に流入する。また、熱負荷である暖房空調機１２への温水の供給は蓄熱槽１の上部（高温槽）から供給し、暖房空調機１２から還ってきた温水は蓄熱槽１０の下部（低温槽）に注入する。
【００３４】
また、蓄熱槽１０を上下多数段に区画し、各区画１０ａ、１０ｂ、１０ｃ、１０ｄ、１０ｅ、１０ｆを下から順に形成する。これらの各区画１０ａ、１０ｂ、１０ｃ、１０ｄ、１０ｅ、１０ｆは予めその容積を測定しておく。これらの各区画１０ａ〜１０ｆの各区画線上に夫々温度センサＴ１１、Ｔ１２、Ｔ１３、Ｔ１４、Ｔ１５を設ける。
【００３５】
温度センサＴ１１は区画１０ａ及び１０ｂの水温を測定し、温度センサＴ１２は区画１０ｂ及び１０ｃの水温を測定し、温度センサＴ１３は区画１０ｃ及び１０ｄの水温を測定し、温度センサＴ１４は区画１０ｄ及び１０ｅの水温を測定し、温度センサＴ１５は区画１０ｅ及び区画１０ｆの水温を測定する。また、前記熱源機１１から蓄熱槽１０に温水を導入する配管１３に流量計１４及び温度センサＴ１６を設け、前記暖房空調機１２から蓄熱槽１０に還る温水の配管１５に流量計１６及び温度センサＴ１７を設ける。
【００３６】
前記暖房空調機１２からの温水の還り温度を温度センサＴ１７で測定し、これを基に、今後想定される還り温度を基準温度とする。この点は、前記冷水の場合と同様である。また、前記暖房空調機１２に送り込めることができる温水の温度を送水限界温度とし、熱源機１１により作り出す送水温度を送水設定温度する。
【００３７】
熱媒体が温水の場合であって、蓄熱時の蓄熱率及び蓄熱量の計測は以下により行う。前記送水限界温度以上の温度を検出した温度センサ、図３では温度センサＴ１５〜Ｔ１３を有する区画の内、これらの温度センサを区画の下部（低温側）に有する区画、この場合、区画１０ｆ、１０ｅ及び１０ｄにおいては、前記送水設定温度から前記基準温度を夫々差し引いた温度差に、各区画１０ｆ、１０ｅ、１０ｄの容積をそれぞれ乗じた値を求め、該当する区画１０ｆ〜１０ｄの当該値を加算して蓄熱体積Ａとする。
【００３８】
一方、送水限界温度未満の温度を検出した温度センサＴ１１及びＴ１２を区画の下部（低温側）に有する区画１０ｃ及び１０ｂのうち最上位の区画１０ｃについては、単位時間当たりの流量（流量計１４で測定）を時間経過ごとに積算して蓄熱体積Ｂとし、前記蓄熱体積Ａと蓄熱体積Ｂとを加算し、これらの加算値の全蓄熱槽の有効容積に対する割合を蓄熱槽１０の蓄熱率として算出するものである。また、前記加算値に、前記熱源機１１からの温水の温度（送水設定温度）から前記基準温度を差し引いた値を乗じて、蓄熱槽１０の蓄熱量と計測する。
【００３９】
また、熱媒体が温水の場合であって、放熱時の蓄熱率及び蓄熱量の計測は以下により行う。
【００４０】
図４は、図３と同じ構成であるが、蓄熱率及び蓄熱量の計測方法が、蓄熱時と異なる。前記暖房空調機１２からの温水の還り温度を温度センサＴ１７で測定し、これを基に今後想定される還り温度を基準温度とし、また、前記暖房空調機１２に送り込めることができる温水の温度を送水限界温度とし、熱源機１１で作り出す送水温度を送水設定温度する点は蓄熱時と同じである。
【００４１】
前記各区画１０ａ〜１０ｆのうち、送水限界温度以上の温度を検出した温度センサ、図４では温度センサＴ１５、Ｔ１４、Ｔ１３を下部（低温側）に有する区画１０ｆ、１０ｅ、１０ｄにおいては、前記送水設定温度から前記基準温度を夫々差し引いた温度差の値に各区画１０ｆ、１０ｅ、１０ｄの容積をそれぞれ乗じた値を求め、該当する区画の当該値を加算して蓄熱体積Ａとする。
【００４２】
また、送水限界温度以上の温度を検出した温度センサＴ１３、Ｔ１４を下部（低温側）に有する区画１０ｄ、１０ｅのうち、最下位の区画１０ｄにおいては、単位時間当たりの流出量（流量計１６で測定）を時間経過ごとに積算して蓄熱体積Ｂとし、前記蓄熱体積Ａから蓄熱体積Ｂを減算し、当該減算した値の全蓄熱槽の有効容積に対する割合を蓄熱槽１０の蓄熱率として算出するものである。また、前記蓄熱体積Ａから蓄熱体積Ｂを減算した値に、熱源機１１で作り出した温水温度（送水設定温度）から前記基準温度を差し引いた値を乗じて算出した値を前記蓄熱槽１０の蓄熱量とする。
【００４３】
なお、上記実施の形態例では、蓄熱槽１を上下に区画１ａ〜１ｆに分け、また、蓄熱槽１０を上下に区画１０ａ〜１０ｆに分けたが、これらの蓄熱槽を左右の横方向に区分けする場合もある。
【符号の説明】
【００４４】
１    蓄熱槽                      ２      冷凍機
３    空調機                      ４      配管
５    流量計                      ６      配管
７    流量計                          
１ａ〜１ｆ  区画                  Ｔ１〜Ｔ７  温度センサ
１０    蓄熱槽                    １１      熱源機
１２    暖房空調機                １３      配管
１４    流量計                    １５      配管
１６    流量計                    
１０ａ〜１０ｆ  区画              Ｔ１１〜Ｔ１７  温度センサ
【図１】
2014174027.tif 000003
【図２】
2014174027.tif 000004
【図３】
2014174027.tif 000005
【図４】
2014174027.tif 000006